【手続補正書】
【提出日】平成19年6月29日(2007.6.29)
【手続補正１】
【補正対象書類名】明細書
【補正対象項目名】特許請求の範囲
【補正方法】変更
【補正の内容】
【特許請求の範囲】
【請求項１】  シート処理部にシートを搬送する搬送通路にシートを循環させながら待機させる待機通路を設け、前記シート処理部がシート処理を行っている間、前記待機通路に順次シートを導入して前記シートを重ね合わせた後、前記搬送通路に戻すようにしたシート処理装置において、
前記待機通路に進入するシートの先端と、前記待機通路で待機しているシートの先端とのずらし距離を可変とすることを特徴とするシート処理装置。
【請求項２】  前記待機通路は、大径ローラの周面に沿って形成され、前記待機通路に進入するシートの先端を前記待機通路で待機しているシートの先端より第１所定距離先行させると共に、最後に前記待機通路に進入するシートの先端を前記待機通路で待機しているシートの先端より前記第１所定距離よりも短い第２所定距離先行させるようにしたことを特徴とする請求項１に記載のシート処理装置。
【請求項３】  前記待機通路で待機しているシートの循環を制御する制御手段を備え、
前記制御手段は、前記待機通路にシートが進入する前に前記待機通路でのシートの循環を停止させると共に、前記待機通路に進入するシートの先端と前記第１又は第２所定距離を形成するタイミングで、前記待機通路で停止しているシートの循環を再開させることを特徴とする請求項２記載のシート処理装置。
【請求項４】  前記待機通路で待機しているシートを検知する第１検知手段と、
前記搬送通路から前記待機通路に進入するシートを検知する第２検知手段と、
を備え、
前記制御手段は、前記第１検知手段からの検知信号に基づいて前記待機通路で待機しているシートの循環を一旦停止した後、前記第２検知手段からの検知信号に基づいて前記待機通路に進入するシートの先端と前記第１又は第２所定距離を形成するタイミングで、前記待機通路で停止しているシートの循環を再開させることを特徴とする請求項３記載のシート処理装置。
【請求項５】  前記待機通路に前記大径ローラと前記シートを挟持して搬送する搬送部材を設け、前記搬送部材の数に応じて前記第１及び第２所定距離を設定するようにしたことを特徴とする請求項２乃至４のいずれかに記載のシート処理装置。
【請求項６】  前記待機通路は、小径ローラを配設した搬送通路であり、前記待機通路に最初に進入したシートの先端を前記待機通路に進入する２枚目のシートの先端より所定距離先行させると共に、前記待機通路に次に進入するシートの先端と前記待機通路で待機している２枚目のシートの先端とを一致させるようにしたことを特徴とする請求項１記載のシート処理装置。
【請求項７】 前記待機通路で待機しているシートの循環を制御する制御手段を備え、
前記制御手段は、前記待機通路にシートが進入する前に前記待機通路で待機しているシートの循環を停止させる一方、前記待機通路に最初に進入したシートの先端を前記２枚目の先端より所定距離先行させると共に、前記待機通路に次に進入するシートの先端と前記待機通路で待機している２枚目のシートの先端とを一致させるタイミングで、前記待機通路で停止しているシートの循環を再開させることを特徴とする請求項６記載のシート処理装置。
【請求項８】  前記待機通路で待機しているシートを検知する第１検知手段と、
前記搬送通路から前記待機通路に進入するシートを検知する第２検知手段と、
を備え、
前記制御手段は、前記第１検知手段からの検知信号に基づいて前記待機通路で待機しているシートの循環を一旦停止した後、前記第２検知手段からの検知信号に基づいて、前記待機通路に最初に進入したシートの先端を前記２枚目の先端とを所定距離先行させると共に、前記待機通路に次に進入するシートの先端と前記待機通路で待機している２枚目のシートの先端とを一致させるタイミングで、前記待機通路で停止しているシートの循環を再開させることを特徴とする請求項７記載のシート処理装置。
【請求項９】  前記待機通路に前記小径ローラと前記シートを挟持して搬送する搬送部材を設け、前記搬送部材の数に応じて前記所定距離を設定するようにしたことを特徴とする請求項６乃至８のいずれかに記載のシート処理装置。
【請求項１０】  前記待機通路内で停止しているシートの循環を再開するタイミングを、次のシートの前記待機通路への進入時毎に独立して設定するタイミング入力手段を設けたことを特徴とする請求項３、４、７又は８記載のシート処理装置。
【請求項１１】  前記搬送部材のシート搬送方向上流側に前記待機通路を狭くするように形成されたリブを設けたことを特徴とする請求項５又は９記載のシート処理装置。
【請求項１２】  画像形成部と、前記画像形成部により画像が形成されたシートを処理するシート処理装置とを備えた画像形成装置において、
前記シート処理装置は前記請求項１乃至１１のいずれかに記載のものであることを特徴とする画像形成装置。
【手続補正２】
【補正対象書類名】明細書
【補正対象項目名】００１１
【補正方法】変更
【補正の内容】
【００１１】
【課題を解決するための手段】
本発明は、シート処理部にシートを搬送する搬送通路にシートを循環させながら待機させる待機通路を設け、前記シート処理部がシート処理を行っている間、前記待機通路に順次シートを導入して前記シートを重ね合わせた後、前記搬送通路に戻すようにしたシート処理装置において、前記待機通路に進入するシートの先端と、前記待機通路で待機しているシートの先端とのずらし距離を可変とすることを特徴とするものである。
【手続補正３】
【補正対象書類名】明細書
【補正対象項目名】００１２
【補正方法】変更
【補正の内容】
【００１２】
また本発明は、前記待機通路が大径ローラの周面に沿って形成され、前記待機通路に進入するシートの先端を前記待機通路で待機しているシートの先端より第１所定距離先行させると共に、最後に前記待機通路に進入するシートの先端を前記待機通路で待機しているシートの先端より前記第１所定距離よりも短い第２所定距離先行させるようにしたことを特徴とするものである。
【手続補正４】
【補正対象書類名】明細書
【補正対象項目名】００１３
【補正方法】変更
【補正の内容】
【００１３】
また本発明は、前記待機通路で待機しているシートの循環を制御する制御手段を備え、前記制御手段は、前記待機通路にシートが進入する前に前記待機通路でのシートの循環を停止させると共に、前記待機通路に進入するシートの先端と前記第１又は第２所定距離を形成するタイミングで、前記待機通路で停止しているシートの循環を再開させることを特徴とするものである。
【手続補正５】
【補正対象書類名】明細書
【補正対象項目名】００１４
【補正方法】変更
【補正の内容】
【００１４】
また本発明は、前記待機通路で待機しているシートを検知する第１検知手段と、前記搬送通路から前記待機通路に進入するシートを検知する第２検知手段と、を備え、前記制御手段は、前記第１検知手段からの検知信号に基づいて前記待機通路で待機しているシートの循環を一旦停止した後、前記第２検知手段からの検知信号に基づいて前記待機通路に進入するシートの先端と前記第１又は第２所定距離を形成するタイミングで、前記待機通路で停止しているシートの循環を再開させることを特徴とするものである。
【手続補正６】
【補正対象書類名】明細書
【補正対象項目名】００１５
【補正方法】変更
【補正の内容】
【００１５】
また本発明は、前記待機通路に前記大径ローラと前記シートを挟持して搬送する搬送部材を設け、前記搬送部材の数に応じて前記第１及び第２所定距離を設定するようにしたことを特徴とするものである。
【手続補正７】
【補正対象書類名】明細書
【補正対象項目名】００１６
【補正方法】変更
【補正の内容】
【００１６】
また本発明は、前記待機通路が小径ローラを配設した搬送通路であり、前記待機通路に最初に進入したシートの先端を前記待機通路に進入する２枚目のシートの先端より所定距離先行させると共に、前記待機通路に次に進入するシートの先端と前記待機通路で待機している２枚目のシートの先端とを一致させるようにしたことを特徴とするものである。
【手続補正８】
【補正対象書類名】明細書
【補正対象項目名】００１７
【補正方法】変更
【補正の内容】
【００１７】
また本発明は、前記待機通路で待機しているシートの循環を制御する制御手段を備え、前記制御手段は、前記待機通路にシートが進入する前に前記待機通路で待機しているシートの循環を停止させる一方、前記待機通路に最初に進入したシートの先端を前記２枚目の先端より所定距離先行させると共に、前記待機通路に次に進入するシートの先端と前記待機通路で待機している２枚目のシートの先端とを一致させるタイミングで、前記待機通路で停止しているシートの循環を再開させることを特徴とするものである。
【手続補正９】
【補正対象書類名】明細書
【補正対象項目名】００１８
【補正方法】変更
【補正の内容】
【００１８】
また本発明は、前記待機通路で待機しているシートを検知する第１検知手段と、前記搬送通路から前記待機通路に進入するシートを検知する第２検知手段と、を備え、前記制御手段は、前記第１検知手段からの検知信号に基づいて前記待機通路で待機しているシートの循環を一旦停止した後、前記第２検知手段からの検知信号に基づいて、前記待機通路に最初に進入したシートの先端を前記２枚目の先端とを所定距離先行させると共に、前記待機通路に次に進入するシートの先端と前記待機通路で待機している２枚目のシートの先端とを一致させるタイミングで、前記待機通路で停止しているシートの循環を再開させることを特徴とするものである。
【手続補正１０】
【補正対象書類名】明細書
【補正対象項目名】００１９
【補正方法】変更
【補正の内容】
【００１９】
また本発明は、前記待機通路に前記小径ローラと前記シートを挟持して搬送する搬送部材を設け、前記搬送部材の数に応じて前記所定距離を設定するようにしたことを特徴とするものである。
【手続補正１１】
【補正対象書類名】明細書
【補正対象項目名】００２１
【補正方法】変更
【補正の内容】
【００２１】
また本発明は、前記搬送部材のシート搬送方向上流側に前記待機通路を狭くするように形成されたリブを設けたことを特徴とするものである。